(57)【要約】【課題】  画像データをプリントする際の一連の処理順序や処理形態を大きく変更することなく、画像データと装飾データとを容易に合成し得るプリント装置を構成する。【解決手段】  チャンネルを設定した後に、プリント対象としてディスプレイ３に表示された画像データを選択した後に、装飾データをディスプレイ３に形成した一覧画面４１に対して一覧化して表示し、この一覧画面４１から装飾データを選択することにより、選択した画像データと装飾データとを重ね合わせる形態で合成処理画面４７に表示した状態で合成処理を実現する合成処理手段２６を備えた。【選択図】        図３
2005141639.tif 000002
【特許請求の範囲】
【請求項１】
プリント対象に設定された画像データと、複数の装飾データのうち指定されたものとを重ね合わせる形態で合成する合成処理手段を備え、この合成処理手段によって生成された合成画像データをプリント部においてプリント媒体に対してプリントするプリント装置であって、
前記プリント媒体のプリントサイズ、及び、前記プリント部におけるプリント処理条件を設定する複数のチャンネルが予めセットされ、この複数のチャンネルの１つを選択した状態において、プリント媒体に対して前記画像データがプリントされた際の画像をシミュレートしてディスプレイに表示するシミュレート表示手段を備えると共に、
前記合成処理手段は、前記シミュレート表示手段が前記画像データを前記ディスプレイに表示した状態において、保存部に保存された前記複数の装飾データの何れかを指定することにより、指定した装飾データを抽出し、前記ディスプレイに表示した状態で、その装飾データと前記画像データとの合成処理を行うよう処理形態が設定されているプリント装置。
【請求項２】
前記合成処理手段は、前記複数の装飾データから複数の装飾データを指定することにより、指定した複数の装飾データを重ね合わせる形態で前記画像データとの合成処理を行うよう処理形態が設定されている請求項１記載のプリント装置。
【請求項３】
前記合成処理手段は、合成処理が完了した際には、生成された合成画像データを合成処理前の前記画像データに置き換える処理を行い、前記シミュレート表示手段は置き換えられた合成画像データをディスプレイに表示する処理を行うよう構成されている請求項１又は２記載のプリント装置
【請求項４】
前記シミュレート表示手段は、選択された前記チャンネルの処理対象となる複数の画像データを一覧化して前記ディスプレイに表示する処理を行うと共に、
前記合成処理手段は、前記シミュレート表示手段により一覧化して前記ディスプレイに表示された複数の画像データの１つを前記ディスプレイ上で設定する設定ステップと、前記複数の装飾データを前記ディスプレイに表示して、このディスプレイ上で合成対象として指定する指定ステップとを実行した後に、合成処理画面を前記ディスプレイに新たに表示し、この合成処理画面上において前記設定された画像データと、前記指定された装飾データとの相対的な位置関係を決める合成ステップを実行するよう合成処理シーケンスが設定され、
この合成処理シーケンスは、前記シミュレート表示手段で一覧化して前記ディスプレイに表示された複数の画像データ夫々について個別に実行できるよう構成されている請求項１〜３のいずれか１項に記載のプリント装置。
【請求項５】
前記合成処理手段は、前記装飾データを指定する指定データ、複数の装飾データの重ね合わせ順序を設定するレイヤーデータ、及び、前記装飾データと前記画像データとの相対的な位置関係を示す位置データ夫々を合成処理データとして保存する合成データ保存手段を備え、
この合成処理手段は、新たにプリント対象に設定された画像データに対して合成処理を行う際に、前記合成処理データを指定することにより、その合成処理データに含まれる指定データに基づき前記保存部から装飾データを抽出し、このように抽出された装飾データを前記レイヤーデータに基づく重ね合わせ順序で、前記位置データに基づく相対位置関係で合成処理を実行するよう構成されている請求項１〜４のいずれか１項に記載のプリント装置。
【請求項６】
前記合成処理手段による合成処理を実行した後には、合成データ保存手段が、前記指定データ、レイヤーデータ、位置データ夫々をプリント処理条件に設定したチャンネルを新たに生成するチャンネル生成手段を備えている請求項５記載のプリント装置。
【請求項７】
前記プリント媒体として銀塩式の印画紙が用いられると共に、前記プリント部として、前記印画紙に対して前記画像データ又は前記合成画像データの露光を行うデジタル式の露光ヘッドと、この露光の後の印画紙の現像処理を行う現像処理槽とを備えている請求項１〜５のいずれか１項に記載の写真プリント装置。
【発明の詳細な説明】
【技術分野】
【０００１】
本発明は、プリント対象に設定された画像データと、複数の装飾データのうち指定されたものとを重ね合わせる形態で合成する合成処理手段を備え、この合成処理手段によって生成された合成画像データをプリント部においてプリント媒体に対してプリントするプリント装置に関する。
【背景技術】
【０００２】
上記のプリント装置と関連する技術として、特許文献１及び特許文献２に示されるものが存在する。つまり、特許文献１では、新たに取得されたデジタル画像と、予め記憶されたデジタル画像とを画像合成手段により合成してデジタル合成画像を得るものであり、この合成の際には、予め定義された１以上のデザイン定義データから指定手段によって指定されたデザインに基づいて合成が行われる。この構成により、例えば、文字画像とイラストとを別のデジタル画像として記憶することが可能となるため、記憶容量の節減が図れ、デジタル画像の組み合わせを変更することにより、多数のデザインを実現できるものとなっている。
【０００３】
また、特許文献２では、ラインＣＣＤスキャナで写真フィルムから各コマの写真画像を読み取り、この写真画像に対して画像処理装置で必要な処理を行い、この画像処理装置からの写真画像に基づきレーザープリンタにおいてカラーペーパに露光を行い、この露光後のカラーペーパをプロセッサの現像処理を行うハードウエアを備えており、画像処理装置に備えた画像合成部において画像の合成を行えるものとなっている。この画像合成部では、写真画像と、飾り画像や文字列との合成を行うものであり、この合成は、写真画像にマスクを重ねて覆い、この重ねた領域に対して飾り画像をはめ込む形態となる、はめ込み合成と呼ばれる方法で行われる。
【０００４】
また、この特許文献２では、はめ込み合成を行うために、テンプレート使用するものとなっており、このテンプレートには合成画像のプリントサイズ情報と、写真画像及び飾り画像のレイアウト情報とが設定されている。このテンプレートとして年賀状用、クリスマスカード用、カレンダー用等がプリントサイズに応じて設定されている。
【０００５】
【特許文献１】特開平９‐３２６９１７号公報  （段落番号〔００１９〕〜〔００２１〕図１）
【特許文献２】特開２００２‐２１８２１７号公報  （段落番号〔００１６〕〜〔００５１〕、図１〜図４）
【発明の開示】
【発明が解決しようとする課題】
【０００６】
デジタルミニラボと称されるプリント装置を例に挙げると、写真フィルムのコマ画像をプリントする場合には、写真フィルムをフィルムスキャナにセットし、そのコマ画像をデジタル信号に変換して画像データを取得し、この画像データに対して必要な補正処理を行った後に、この画像データに基づいて露光ヘッドを制御して印画紙に対する露光を行い、この後に現像処理を行う処理順序となっている。また、デジタルカメラで撮影された画像データを印画紙にプリントする場合でも、フィルムスキャナを用いない点を除いて処理形態は写真フィルムからの画像データを処理する場合と変わりがない。
【０００７】
この種のプリント装置では、年賀状や、クリスマスカード、グリーティングカードをプリントする際に、予め保存された装飾データや文字データ等（テンプレートと呼称されることもある）を画像データに重ねる形態の合成処理が可能である。その操作の一形態の例を挙げると、現在、多く使用されているプリント装置では、合成の対象とする装飾データを先に指定し、この装飾データと画像データとの合成を実現する条件を設定したチャンネルを選択し、このチャンネルにおいてプリントを実行する際に、合成する画像データを設定する操作形態となっている。また、このようにチャンネルを設定した状態で合成処理を行うものでは、チャンネルの実行中に装飾データの変更を行えないものであり、複数の装飾データを選択できないものであった。
【０００８】
この不都合を解消するために、特許文献１の技術を考えると、特許文献１では、複数のデザイン定義データのうちの１つを指定することにより、指定されたデザイン定義データに基づいて新たに取得されたデジタル画像と、予め記憶された画像との合成を実現するものであるが、この特許文献１では合成処理の基本的な処理形態を記載しただけであり、現実にプリントを行う際の操作の容易性や簡便性の面で考慮すべき余地がある。また、特許文献２の技術を考えると、この特許文献２でも、画像データを合成する際の処理形態を記載したものであり、現実にプリントを行う際の操作の容易性や簡便性の面で考慮すべき余地がある。
【０００９】
本発明の目的は、画像データをプリント媒体にプリントする際の一連の処理順序や処理形態を大きく変更させることなく、画像データと装飾データとを容易に合成し得るプリント装置を合理的に構成する点にある。
【課題を解決するための手段】
【００１０】
本発明の特徴は、プリント対象に設定された画像データと、複数の装飾データのうち指定されたものとを重ね合わせる形態で合成する合成処理手段を備え、この合成処理手段によって生成された合成画像データをプリント部においてプリント媒体に対してプリントするプリント装置において、
前記プリント媒体のプリントサイズ、及び、前記プリント部におけるプリント処理条件を設定する複数のチャンネルが予めセットされ、この複数のチャンネルの１つを選択した状態において、プリント媒体に対して前記画像データがプリントされた際の画像をシミュレートしてディスプレイに表示するシミュレート表示手段を備えると共に、前記合成処理手段は、前記シミュレート表示手段が前記画像データを前記ディスプレイに表示した状態において、保存部に保存された前記複数の装飾データの何れかを指定することにより、指定した装飾データを抽出し、前記ディスプレイに表示した状態で、その装飾データと前記画像データとの合成処理を行うよう処理形態が設定されている点にある。
【００１１】
この構成により、例えば、ポストカードのプリントを行うチャンネルを選択し、プリント対象とする画像データをシミュレート表示手段がディスプレイに表示した状態において、合成処理を行う場合には、合成処理手段が複数の装飾データをディスプレイに表示するので、オペレータはディスプレイに表示された複数の装飾データから合成処理すべきものを指定でき、合成処理手段は指定された装飾データを保存部から抽出して画像データと重ね合わせる形態で合成処理を行うものとなる。つまり、シミュレート画像を表示した状態を基準にして合成処理を行えるので、装飾データを予め設定した後にチャンネルを設定するものと比較すると、装飾データを任意に指定でき、合成処理を行う際にも合成処理結果をディスプレイ上で確認できるのである。その結果、画像データをプリント媒体にプリントする際の一連の処理順序や処理形態を、合成処理を行わないものと異ならせることなく、画像データと装飾データとを容易に合成し得るプリント装置が合理的に構成されたのである。
【００１２】
本発明は、前記合成処理手段として、前記複数の装飾データから複数の装飾データを指定することにより、指定した複数の装飾データを重ね合わせる形態で前記画像データとの合成処理を行うよう処理形態を設定しても良い。
【００１３】
この構成により、複数の装飾データを重ね合わせることにより、多種の装飾データを新たに作り出し、画像データと合成することが可能となる。
【００１４】
本発明は、前記合成処理手段として、合成処理が完了した際には、生成された合成画像データを合成処理前の前記画像データに置き換える処理を行い、前記シミュレート表示手段は置き換えられた合成画像データをディスプレイに表示する処理を行うよう構成しても良い。
【００１５】
この構成により、合成処理が完了した場合には、合成画像データをプリント対象としてシミュレート表示手段がディスプレイに表示するので、合成処理結果の確認と、プリント対象として設定されたことをディスプレイ上で確認できる。
【００１６】
本発明は、前記シミュレート表示手段が、選択された前記チャンネルの処理対象となる複数の画像データを一覧化して前記ディスプレイに表示する処理を行うと共に、前記合成処理手段は、前記シミュレート表示手段により一覧化して前記ディスプレイに表示された複数の画像データの１つを前記ディスプレイ上で設定する設定ステップと、前記複数の装飾データを前記ディスプレイに表示して、このディスプレイ上で合成対象として指定する指定ステップとを実行した後に、合成処理画面を前記ディスプレイに新たに表示し、この合成処理画面上において前記設定された画像データと、前記指定された装飾データとの相対的な位置関係を決める合成ステップを実行するよう合成処理シーケンスを設定するように構成している。そして、この合成処理シーケンスは、前記シミュレート表示手段で一覧化して前記ディスプレイに表示された複数の画像データ夫々について個別に実行できるよう構成しても良い。
【００１７】
この構成により、合成処理手段によって合成処理を行う際には、合成処理シーケンスに設定された順序で処理を行うことにより、合成の対象とする画像データの設定と、合成を行う装飾データの指定と、合成処理とを、この順序で行え、この合成処理を、ディスプレイの表示に基づいて確認を行いながら行えるものとなる。
【００１８】
本発明は、前記合成処理手段が、前記装飾データを指定する指定データ、複数の装飾データの重ね合わせ順序を設定するレイヤーデータ、及び、前記装飾データと前記画像データとの相対的な位置関係を示す位置データ夫々を合成処理データとして保存する合成データ保存手段を備え、この合成処理手段は、新たにプリント対象に設定された画像データに対して合成処理を行う際に、前記合成処理データを指定することにより、その合成処理データに含まれる指定データに基づき前記保存部から装飾データを抽出し、このように抽出された装飾データを前記レイヤーデータに基づく重ね合わせ順序で、前記位置データに基づく相対位置関係で合成処理を実行するよう構成しても良い。
【００１９】
この構成により、合成処理手段の処理によって１度合成処理が行われた後には、合成処理データに含まれる指定データに基づいて、複数の装飾データを保存部から抽出し、レイヤーデータに基づいて装飾データの重ね合わせ順序を設定し、位置データに基づいて夫々の装飾データと画像データとの位置を設定できるので、オペレータが合成処理のための複雑な操作を行わずとも、新たな画像データに対して決まったパターンの合成処理を繰り返して行える。
【００２０】
本発明は、前記合成処理手段による合成処理を実行した後には、合成データ保存手段が、前記指定データ、レイヤーデータ、位置データ夫々をプリント処理条件に設定したチャンネルを新たに生成するチャンネル生成手段を備えても良い。
【００２１】
この構成により、合成データ保存手段で生成されたチェンネルを選択することにより、そのチャンネルに設定されたプリント媒体のプリントサイズ、及び、プリント部におけるプリント条件を自動的に設定した状態で合成処理を自動的に行え、オペレータの手間を省けるものとなる。
【００２２】
本発明は、前記プリント媒体として銀塩式の印画紙が用いられると共に、前記プリント部として、前記印画紙に対して前記画像データ又は前記合成画像データの露光を行うデジタル式の露光ヘッドと、この露光の後の印画紙の現像処理を行う現像処理槽とを備えても良い。
【００２３】
この構成により、銀塩式の印画紙に対して合成処理を実現し、従来からのプリント装置の性能を飛躍的に向上させるものとなる。
【発明を実施するための最良の形態】
【００２４】
以下、本発明の実施形態を図面に基づいて説明する。
〔全体構成〕図１に示すように、現像済みの写真フィルムＦの画像情報をデジタル信号化した画像データとして取得する、又は、メディアにデジタル信号化して保存された画像データの取得を取得し、そのデジタル信号化された画像データの処理を行い、装置全体の基本的な制御を行うオペレート部Ａを備えると共に、プリント媒体としての銀塩式の印画紙Ｐに対して露光処理と現像処理とを行い、乾燥処理を行った後に送り出すプリント部Ｂを備えることによりデジタルミニラボを称せられる写真プリント装置が構成されている。本発明では、写真フィルムＦのコマ画像を構成するものや、プリントされたものを画像情報と称し、これらの情報をデジタル信号に変換したものを画像データと称している。
【００２５】
〔オペレート部〕前記オペレート部Ａは、デスク部１に対して写真フィルムＦのコマ画像の情報を光電変換によりデジタル信号化して取り込むフィルムスキャナ２と、各種情報を表示するディスプレイ３と、各種処理を実現するよう汎用コンピュータで成る処理装置４とを配置し、デスク部１の上面に情報を入力するためのキーボード５と、マウス６とを備えている。前記処理装置４の上部位置にＣＤやＭＯやＦＤ等のディスク型のメディアからの情報を取得する、あるいは、半導体型のメディアからの情報を取得するようメディアの構造に対応したメディアドライブ７を備えている。
【００２６】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）の三原色に色分解した画像データとして取り込むラインＣＣＤ型の光電変換部を配置している。このフィルムスキャナ２では、写真フィルムＦのスキャニングを行う場合には、その写真フィルムＦのサイズに適合したフィルムキャリア８を光源部の上面に装着してスキャニングを開始することにより、フィルムＦを副走査方向（長手方向）に搬送する作動と同期して光電変換部においてフィルムＦの画像情報を主走査方向に沿ってデジタル信号化して取り込む処理が行われ、このように取り込まれた画像データは、前記処理装置４に転送され、この処理装置４において保存される。
【００２７】
前記処理装置４は、ディスプレイ３に表示された情報に対応してポインティングデバイスとして機能する前記キーボード５やマウス６を操作することにより、必要とする処理を実現するＧＵＩ（Graphical User Interface）型のインターフェースを具備すると共に、前述のようにフィルムスキャナ２によって取り込んだ画像データ、あるいは、前記メディアドライブ７を介して取り込んだ画像データを処理装置４に内蔵した前記半導体メモリやハードディスク（図２を参照）に対して保存し、このように保存した画像データに対して必要な処理を行うソフトウエア（詳細は後述する）が該処理装置４にインストールされている。
【００２８】
〔プリント部〕前記プリント部Ｂは、印画紙Ｐに対して画像データの露光を行うデジタル式の露光ヘッド（図示せず）を有した露光ブロックＥｘと、現像処理部としての現像ブロックＤｅと、乾燥ブロックＤｒとを筐体１０に収納して成ると共に、筐体１０の外部には、処理の後に筐体１０の上部から水平方向に送り出される印画紙Ｐを搬送するベルト搬送機構１１を備え、このベルト搬送機構１１から送られる印画紙Ｐをオーダ単位で仕分けて集積するよう複数のトレー１２を有したソータ１３を備え、更に、ベルト搬送機構１１の下方位置には大きいサイズの印画紙Ｐを受け止めるラック１４を備えている。
【００２９】
前記現像ブロックＤｅは、発色現像槽と漂白定着槽と安定槽とで成る複数の現像処理槽１５を備えると共に、夫々の現像処理槽１５に印画紙Ｐを供給する搬送機構を備えている。前記乾燥ブロックＤｒは図面には示さないが、現像ブロックＤｅから送り出される印画紙Ｐを搬送する搬送機構と、この搬送機構で搬送される印画紙Ｐに対してヒータで加熱された空気を供給するブロワーを備えている。
【００３０】
前記処理装置４の制御系の概要を図２に示すように示すことが可能である。つまり、情報の処理を行うマイクロプロセッサ（ＣＰＵ）を備えると共に、このマイクロプロセッサ（ＣＰＵ）に対してデータバスを介して情報がアクセスする前記メディアドライブ７、半導体メモリで成るＲＡＭ／ＲＯＭ、データを保存するハードディスクＨＤ、制御インタフェース２１を備えると共に、ソフトウエアで成るオペレーションシステム２２、プリント実行手段２３、シミュレート表示手段２４、一覧化表示手段２５、合成処理手段２６、合成画像データ表示手段２７、合成データ保存手段２８、チャンネル生成手段２９夫々を備えて成り、この処理装置４から前記ディスプレイ３に画像信号を出力する信号系、キーボード５、マウス６からの信号が入力する信号系が形成され、また、前記フィルムスキャナ２に対する信号のアクセス系が形成されている。尚、これら、プリント実行手段２３、シミュレート表示手段２４、一覧化表示手段２５、合成処理手段２６、合成画像データ表示手段２７、合成データ保存手段２８、チャンネル生成手段２９夫々を、ハードウエアとソフトウエアとの組み合わせて構成することや、ハードウエアのみで構成しても良い。
【００３１】
同図に示すように、前記半導体メモリＲＡＭは後述する合成処理時に画像データが展開される作業エリアが確保されるものであり、前記ハードディスクＨＤは、その保存エリアが画像データ保存部と、装飾データ保存部と、チャンネル保存部と、プログラム保存部とに割り当てられるものである。
【００３２】
この写真プリント装置では、前記フィルムスキャナ２で取り込んだ画像データ、あるいは、前記メディアドライブ７を介して取り込んだ画像データに対して装飾データを重ね合わせる形態での合成処理と、画像データに対して装飾データを嵌め込む形態での合成処理とを行えるよう構成されている。装飾データはＣＤ−ＲＯＭの形態で供給されるものであり、この装飾データをメディアドライブ７を介してＣＤ−ＲＯＭから取り込むことにより、ハードディスクＨＤの装飾データ保存部に保存される。また、画像データは前記ハードディスクＨＤの画像データ保存部に保存される。
【００３３】
この写真プリント装置では、画像データのプリントを行う際の処理の流れを図４のフローチャートのように示すことが可能であり、また、プリントを行う際のデータの流れを図３のように示すことが可能である。つまり、最初にプリントサイズやプリント処理条件を決めるチャンネルの設定を行い、オーダを特定する操作を行うことにより、オペレーションシステム２２がハードディスクＨＤに保存された画像データが読み出し、この画像データに基づいてシミュレート表示手段２４が、図６に示す如く、ディスプレイ３に形成したシミュレート表示画面３０（プレジャッジ画面）に対して複数の画像データをサムネイル形式で一覧化した状態で表示する（＃０１〜＃０３ステップ）。このようにシミュレート表示画面３０に対して画像データを表示する場合には、シミュレート表示手段２４がチャンネルに設定された補正パラメータ等に基づき、印画紙Ｐにプリントされた状態をシミュレートした形態の画像データを表示する。また、この実施の形態では、複数のチャンネルの何れを選択した状態でも、そのチャンネルにおいて合成処理を実現するものを想定しているが、合成処理を実現するための専用のチャンネルを予め設定しておき、合成処理を行う場合にのみ、その合成処理用のチャンネルを選択するものであっても良い。
【００３４】
次に、キーボード５やマウス６の操作によって、シミュレート表示画面３０に表示された複数の画像データの何れか１つをカーソルで選択して、マウス６のスイッチをＯＮする等の操作によってプリント対象とすべきものを選択し、プリント枚数の設定を行う処理によりオーダデータが生成される（＃０４ステップ）。
【００３５】
前記シミュレート画面３０の夫々の画像データの下部にプリント枚数を示す表示ボックス３１と、「補正」スイッチ３２とが表示され、下部領域に「合成」スイッチ３３が表示され、更に、最下部に「ＯＫ」スイッチ３４が表示されている。そして、前述したようにプリント枚数を設定する場合には、表示ボックス３１にカーソルを位置させて、マウス６のスイッチを操作することや、キーボード５の所定のキーを操作することで表示ボックス３１の数値が変更され、この数値がプリント枚数に設定される。
【００３６】
このプリントルーチンでは、シミュレート表示画面３０に表示された画像データをカーソルで選択した後に「合成」スイッチ３３を操作することにより（＃０５ステップ）、前記合成処理手段２６により合成処理ルーチン（＃１００ステップ）の実行が可能となり、これと同様に、シミュレート表示画面３０に表示された画像データをカーソルで選択した後に前記「補正」スイッチ３２を操作することにより、ダイアログボックス３５が表示され、これにより補正が可能となる（＃１００、＃０６、＃０７ステップ）。
【００３７】
補正処理を行う場合にはダイアログボックス３５に形成されている各種のスライドスイッチを操作することにより補正が実行され、この補正結果がシミュレート表示画面３０の画像データに反映されるよう処理形態が設定されている。
【００３８】
なお、このように合成処理、あるいは、補正処理が行われた場合には、合成処理後の画像データ、あるいは、補正処理後の画像データがプリント対象となる画像データとして保存され、その画像データがプリント対象となる画像データとして保存される。
【００３９】
この後、シミュレート表示画面３０に表示された「ＯＫ」スイッチ３４を操作することにより、プリント対象として設定された画像データが、オーダデータとともに制御インタフェース２１を介してプリント部Ｂに伝送され、プリント処理が実現するのである（＃０８、＃０９ステップ）。
【００４０】
前記合成処理ルーチン（＃１００）はサブルーチンとして設定されている。つまり、シミュレート表示画面３０から合成対象とする画像データを選択した後に「合成」スイッチ３３を操作することにより、オペレーションシステム２２によって画像データが作業エリアにロードされると共に、図７に示すように、複数の装飾データのうちチャンネルに対応する複数の装飾データを表示するための一覧画面４１がディスプレイ３に表示される（＃１０１ステップ）。この一覧画面４１には「選択」スイッチ４２と、「クリヤ」スイッチ４３と、「ＯＫ」スイッチ４４とが表示されている。
【００４１】
このように、一覧画面４１がディスプレイ３に表示された後、カーソルによって画面中から装飾データを任意に選択した状態で「選択」スイッチ４２を操作する形態の選択を行い（複数選択しても良い）、この選択を終了した時点で「ＯＫ」スイッチ４４を操作することにより、この一覧画面４１が消去され、その装飾データがオペレーションシステム２２によって前記作業エリアにロードされ、このように装飾データがロードされた場合には、図８に示す合成処理画面４７がディスプレイ表示される（＃１０２〜＃１０４ステップ）。また、画像データと装飾データとが、ロードされる際には、レイヤーの概念で管理される独立したエリアに画像データと装飾データとが保存され、合成表示手段４６が、画像データと装飾データとを重ね合わせる形態で合成処理画面４７のプレビュー画面４８に合成状態が表示され、このように編集を行う以前の状態では、装飾データを選択した順序でレイヤーが配置され、夫々の装飾データがデフォルト位置に配置される。尚、図８に示す合成処理画面４７では、楕円状の窓が形成された装飾データと、多数の星のイメージを有する装飾データとが選択され、これらの装飾データを重ね合わせ、更に、画像データに重ね合わせた合成処理形態が示されている。
【００４２】
この合成処理画面４７には、合成状態が表示される前記プレビュー画面４８と、装飾データの重ね合わせ順序を示すレイヤー表示部４９と、合成処理の位置関係を調節する「位置調節」スイッチ５０と、装飾データの上下反転を行う「上下反転」スイッチ５１と、装飾データの左右反転を行う「左右反転」スイッチ５２と、選択されたものの拡大・縮小を行う「ズーム」スイッチ５３と、画像データのトリミングを実現する「トリミング」スイッチ５４と、チャンネルを新たに生成する処理を選択するチェックボックス５５と、「ＯＫ」スイッチ５６とが形成されている。
【００４３】
このように合成処理画面４５が表示された後には、前記レイヤー表示部４９において複数の装飾データの重ね合わせ順序を変更することや、「位置調節」スイッチ５０を操作することにより、各レイヤーで管理される装飾データと画像データとの相対的な位置関係を調節し、「上下反転」スイッチ５１、あるいは、「左右反転」スイッチ５２を操作することにより装飾データを反転させ、「ズーム」スイッチ５３を操作することにより装飾データの拡大や縮小を行い、「トリミング」スイッチ５４を操作することにより、不必要な領域を削除できるものとなっている。これらを組み合わせた操作により、画像データに対する装飾データの位置を変更する等の編集を行えるものとなっているのである。
【００４４】
この編集を終えた後に「ＯＫ」スイッチ５６を操作した場合には（＃１０５ステップ）、チェックボックス５５がチェックされている場合にのみ、前記チャンネル生成手段２９が新たにチャンネルを形成し（＃１０６、＃１０７ステップ）、この後、合成処理前の画像データに置き換える形態で、例えば、複数の合成画像データがプリント対象として保存されるのである（＃１０８ステップ）。
【００４５】
また、前記合成処理手段２６は、合成処理シーケンスに従って処理を行うものとして捉えることが可能である。つまり、この合成処理シーケンスは、シミュレート表示手段２４によりディスプレイ３に表示された複数の画像データの１つを合成対象とするようディスプレイ上で設定する設定ステップ（＃０５ステップ）と、複数の装飾データをディスプレイ３に表示して、このディスプレイ上において合成対象として１つ又は複数の装飾データを指定する指定ステップ（＃１０１、＃１０２ステップ）とを実行した後に、合成処理画面４７をディスプレイ３に表示し、この合成処理画面４７において画像データと、指定された装飾データとの相対的な位置関係を決める合成ステップ（＃１０４ステップ）を備えて構成され、この一連のステップで成る合成処理シーケンスを繰り返して行うことにより、同じオーダ中の複数の画像データに対して合成処理を実現できるものにしているのである。
【００４６】
尚、前述のように新たに生成されたチャンネルは、この合成処理を行う際に設定したプリントサイズやプリント処理条件等のデータを保存しながら、装飾データを特定するデータと、装飾データの重ね合わせ位置を特定するレイヤーデータと、装飾データの位置を特定する位置データとを保存した構造を有しており、このように生成されたチャンネルを選択した状態で画像データのプリントを行うことにより、夫々の画像データに対して、チャンネルに保存されたパラメータに基づいて装飾データを合成する処理が自動的に行われるものとなる。
【００４７】
この合成処理に用いられる前記装飾データは、画像データを取り囲む形状のものや、画像データの両側に配置されるものや、画像データのコーナ部に配置されるものを含み、文字データやテレビアニメのキャラクター等も含むものである。
【００４８】
このように本発明では、写真フィルムＦから取得した複数の画像データや、デジタルカメラで撮影された画像データを保存したフラッシュメモリ等の半導体型のメディアからの画像データのプリントを行う際においては、通常のプリントを行う際の手続と同様に、チャンネルを設定するだけで、シミュレート画面３０（プレジャッジ画面）表示した画像データを合成対象として任意に選択することが可能となり、また、合成処理を行う場合にも、選択した画像データに対して、任意に選択した複数の装飾データの合成処理が可能となるばかりでなく、この合成処理を複数の画像データの個々を任意に選択して行うことも可能にしている。そして、このように合成処理を行った場合には、その合成処理を再現可能なようにチャンネルを新たに生成し、このように生成したチャンネルに基づき、異なる画像データに対して、チャンネルに保存された装飾データを、チャンネルに保存された重ね合わせ順序でチャンネルに保存された相対位置関係で合成する処理を再現することも可能である。
【００４９】
〔別実施の形態〕
本発明は、上記した実施の形態以外に以下のように構成しても良い。
【００５０】
複数の装飾データを用いる場合、上側のレイヤーに配置される装飾データの透明度を調節できるよう処理系を構成することにより、下側のレイヤーに配置される装飾データを不明瞭ながら表示できるようにすることや、装飾データに覆われる部位の画像データを不明瞭ながら表示できるようにしても良い。
【００５１】
プリント装置として、インクジェット型のプリンターに適用することや、昇華型のプリンターに適用しても良い。
【図面の簡単な説明】
【００５２】
【図１】写真プリント装置の斜視図
【図２】処理装置のブロック回路図
【図３】データの処理の流れを示すブロック図
【図４】プリントルーチンのフローチャート
【図５】合成処理ルーチンのフローチャート
【図６】シミュレート画面を示す図
【図７】装飾データの一覧画面を示す図
【図８】合成画面を示す図
【符号の説明】
【００５３】
３            ディスプレイ
２４          シミュレート表示手段
２６          合成処理手段
４７          合成処理画面
Ｂ            プリント部
Ｐ            プリント媒体
【図１】
2005141639.tif 000003
【図２】
2005141639.tif 000004
【図３】
2005141639.tif 000005
【図４】
2005141639.tif 000006
【図５】
2005141639.tif 000007
【図６】
2005141639.tif 000008
【図７】
2005141639.tif 000009
【図８】
2005141639.tif 000010